(57)【要約】【課題】  個々の通信相手先、あるいは通信先の交換局毎に良好なＤＴＭＦの検出が可能なボタン電話装置の提供。【解決手段】  制御回路７は発呼者からのＤＴＭＦ信号が正常に検出できない場合、音声メッセージで規定のＤＴＭＦ信号の送出を依頼し、送られてきたＤＴＭＦ信号が正常に検出できない場合、ＤＴＭＦ検出パラメータを変更して再度音声メッセージで規定のＤＴＭＦ信号の送出を依頼する。そして送られてきたＤＴＭＦ信号が正常に検出できた場合は、次のＤＴＭＦ信号の送出を依頼する。このようにして全てのＤＴＭＦ信号が検出されるとそのＤＴＭＦ検出パラメータは発呼者の電話番号に対応付けられて記憶回路８に格納される。【選択図】      図１                                                  
2005303398.tif 000002
【特許請求の範囲】
【請求項１】
通信を介し受信したＤＴＭＦ信号を判定検出するＤＴＭＦレシーバを搭載するボタン電話装置であって、
交換局から送出される発呼者電話番号を検出する発呼者電話番号検出手段と、
交換局から送出される前記ＤＴＭＦ信号を検出するＤＴＭＦ信号検出手段と、
前記発呼者電話番号と対応付けて前記ＤＴＭＦ信号を検出するためのＤＴＭＦ検出パラメータを格納する記憶手段と、
前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶手段に格納する制御手段とを含むことを特徴とするボタン電話装置。
【請求項２】
前記制御手段は前記発呼者電話番号に代えて前記発呼者電話番号の局番と対応付けて前記ＤＴＭＦ検出パラメータを前記記憶手段に格納することを特徴とする請求項１記載のボタン電話装置。
【請求項３】
前記交換局から送出される発呼者電話番号もしくは前記ＤＴＭＦ検出パラメータが前記記憶手段に格納されていない場合、前記制御手段は初期のＤＴＭＦ検出パラメータを設定することを特徴とする請求項１または２記載のボタン電話装置。
【請求項４】
通信を介し受信したＤＴＭＦ信号を判定検出するＤＴＭＦレシーバを搭載するボタン電話装置におけるＤＴＭＦ検出パラメータの変更方法であって、
交換局から送出される発呼者電話番号を検出する発呼者電話番号検出ステップと、
交換局から送出される前記ＤＴＭＦ信号を検出するＤＴＭＦ信号検出ステップと、
前記発呼者電話番号と対応付けて前記ＤＴＭＦ信号を検出するためのＤＴＭＦ検出パラメータを記憶回路に格納するステップと、
前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶回路に格納する制御ステップとを含むことを特徴とするＤＴＭＦ検出パラメータの変更方法。
【請求項５】
前記制御ステップは前記発呼者電話番号に代えて前記発呼者電話番号の局番と対応付けて前記ＤＴＭＦ検出パラメータを前記記憶回路に格納することを特徴とする請求項４記載のＤＴＭＦ検出パラメータの変更方法。
【請求項６】
前記交換局から送出される発呼者電話番号もしくは前記ＤＴＭＦ検出パラメータが前記記憶回路に格納されていない場合、前記制御ステップは初期のＤＴＭＦ検出パラメータを設定することを特徴とする請求項４または５記載のＤＴＭＦ検出パラメータの変更方法。
【請求項７】
通信を介し受信したＤＴＭＦ信号を判定検出するＤＴＭＦレシーバを搭載するボタン電話装置におけるＤＴＭＦ検出パラメータの変更方法をコンピュータに実行させるためのプログラムであって、
交換局から送出される発呼者電話番号を検出する発呼者電話番号検出ステップと、
交換局から送出される前記ＤＴＭＦ信号を検出するＤＴＭＦ信号検出ステップと、
前記発呼者電話番号と対応付けて前記ＤＴＭＦ信号を検出するためのＤＴＭＦ検出パラメータを記憶回路に格納するステップと、
前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶回路に格納する制御ステップとを含むことを特徴とするプログラム。
【請求項８】
前記制御ステップは前記発呼者電話番号に代えて前記発呼者電話番号の局番と対応付けて前記ＤＴＭＦ検出パラメータを前記記憶回路に格納することを特徴とする請求項７記載のプログラム。
【請求項９】
前記交換局から送出される発呼者電話番号もしくは前記ＤＴＭＦ検出パラメータが前記記憶回路に格納されていない場合、前記制御ステップは初期のＤＴＭＦ検出パラメータを設定することを特徴とする請求項７または８記載のプログラム。
【発明の詳細な説明】
【技術分野】
【０００１】
本発明は、ボタン電話装置およびそのＤＴＭＦ（Dual Tone Multi Frequency ）検出パラメータの変更方法ならびにプログラムに関し、特に通信を介し受信したＤＴＭＦ信号を判定検出するＤＴＭＦレシーバを搭載するボタン電話装置およびそのＤＴＭＦ検出パラメータの変更方法ならびにプログラムに関する。
【背景技術】
【０００２】
通信を介し受信した複数の周波数信号を重ね合わせたＤＴＭＦ信号を判定検出するＤＴＭＦレシーバを搭載するボタン電話装置は知られている。
【０００３】
このような、ボタン電話装置に搭載されるＤＴＭＦレシーバは、一般的に検出レベルやツイスト特性等のＤＴＭＦを検出するためのパラメータの一部( 以下、ＤＴＭＦ検出パラメータという) を調整するための設定を行うことを可能としており、近年は外線( 回線) インタフェース毎に設定可能であることが要求されている。これにより、接続される回線毎に相違する線路ロス等の線路条件に影響されることなく、ＤＴＭＦの検出が可能なように配慮されている。
【０００４】
一方、特許文献１にＤＴＭＦ信号のレベルを調整する技術が開示されている。これは受信したＤＴＭＦ信号のレベルをＤＴＭＦ信号から得られる伝送情報に基づき調整するというものである。
【０００５】
また、特許文献２に受信したＤＴＭＦ信号のレベルを調整するレベル調整回路を有する電話機用集積回路装置が開示されている。
【０００６】
【特許文献１】実開平０４−０７６７５９号公報（実用新案登録請求の範囲、第１図）
【特許文献２】特開平０５−２６０１４０号公報（要約、図１）
【発明の開示】
【発明が解決しようとする課題】
【０００７】
しかしながら、前述の従来技術ではＤＴＭＦ検出パラメータが外線( 回線) 毎の設定となるために発呼者側端末自身から送出されるＤＴＭＦ信号のレベルが小さい場合や発呼者側の交換局回線のロスが大きくてＤＴＭＦ信号が減衰してしまった場合にはＤＴＭＦの検出ができない場合がある。逆に、このような低いレベルにＤＴＭＦ検出パラメータを合わせてしまった場合、他の発呼者からのＤＴＭＦ信号に対して音声等の影響による誤検出が起きやすくなるという問題が発生する。
【０００８】
一方、特許文献１開示の技術はＤＴＭＦ信号から得られる伝送情報に基づきＤＴＭＦ信号のレベルを調整するという点で本発明と構成が全く相違する。
【０００９】
また、特許文献２開示の技術は単にレベル調整回路を有する装置が示されているに過ぎない。
【００１０】
そこで本発明の目的は、個々の通信相手先、あるいは通信先の交換局毎に良好なＤＴＭＦの検出が可能なボタン電話装置およびそのＤＴＭＦ検出パラメータの変更方法ならびにプログラムを提供することにある。
【課題を解決するための手段】
【００１１】
前記課題を解決するために本発明によるボタン電話装置は、通信を介し受信したＤＴＭＦ信号を判定検出するＤＴＭＦレシーバを搭載するボタン電話装置であって、交換局から送出される発呼者電話番号を検出する発呼者電話番号検出手段と、交換局から送出される前記ＤＴＭＦ信号を検出するＤＴＭＦ信号検出手段と、前記発呼者電話番号と対応付けて前記ＤＴＭＦ信号を検出するためのＤＴＭＦ検出パラメータを格納する記憶手段と、前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶手段に格納する制御手段とを含むことを特徴とする。
【００１２】
また、本発明によるＤＴＭＦ検出パラメータの変更方法は、通信を介し受信したＤＴＭＦ信号を判定検出するＤＴＭＦレシーバを搭載するボタン電話装置におけるＤＴＭＦ検出パラメータの変更方法であって、交換局から送出される発呼者電話番号を検出する発呼者電話番号検出ステップと、交換局から送出される前記ＤＴＭＦ信号を検出するＤＴＭＦ信号検出ステップと、前記発呼者電話番号と対応付けて前記ＤＴＭＦ信号を検出するためのＤＴＭＦ検出パラメータを記憶回路に格納するステップと、前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶回路に格納する制御ステップとを含むことを特徴とする。
【００１３】
また、本発明によるプログラムは、通信を介し受信したＤＴＭＦ信号を判定検出するＤＴＭＦレシーバを搭載するボタン電話装置におけるＤＴＭＦ検出パラメータの変更方法をコンピュータに実行させるためのプログラムであって、交換局から送出される発呼者電話番号を検出する発呼者電話番号検出ステップと、交換局から送出される前記ＤＴＭＦ信号を検出するＤＴＭＦ信号検出ステップと、前記発呼者電話番号と対応付けて前記ＤＴＭＦ信号を検出するためのＤＴＭＦ検出パラメータを記憶回路に格納するステップと、前記ＤＴＭＦ信号が検出できない場合は前記ＤＴＭＦ信号の送出を発呼者に依頼し、送られてきたＤＴＭＦ信号が検出できない場合はＤＴＭＦ検出パラメータを変更し、送られてきたＤＴＭＦ信号が検出できた場合はその検出時のＤＴＭＦ検出パラメータを前記発呼者電話番号と対応付けて前記記憶回路に格納する制御ステップとを含むことを特徴とする。
【００１４】
すなわち、本発明によれば個々の通信相手先、あるいは通信先の交換局毎にＤＴＭＦ検出パラメータが設定される。
【発明の効果】
【００１５】
本発明によれば、上記構成を含むことにより個々の通信相手先、あるいは通信先の交換局毎に良好なＤＴＭＦの検出が可能となる。
【発明を実施するための最良の形態】
【００１６】
以下、本発明の実施の形態について添付図面を参照しながら説明する。
【実施例１】
【００１７】
図１は本発明に係るボタン電話装置の一例の構成図である。同図を参照すると、ボタン電話装置１は回線インタフェース２と、音声ガイダンス・情報送出回路３と、着信検出回路４と、ＤＴＭＦ検出回路５と、発呼者電話番号検出回路６と、制御回路７と、記憶回路８と、入力回路９と、表示器１０と、記録媒体１５とを含んでいる。
【００１８】
また、ボタン電話装置１は回線インタフェース２および外線（回線）１１を介して交換局１２と接続され、さらに交換局１２は発呼者（相手先）端末１３と外線（回線）１４を介して接続されている。
【００１９】
次に、ボタン電話装置１を構成する各回路について説明する。回線インタフェース２はボタン電話装置１を外線（回線）１１に接続するためのインタフェースである。
【００２０】
音声ガイダンス・情報送出回路３は、音声ガイダンスおよび情報を送出する。
【００２１】
着信検出回路４は交換局１２からの着信信号を検出する。
【００２２】
ＤＴＭＦ検出回路５は交換局１２からのＤＴＭＦ信号の検出を行うとともにＤＴＭＦ検出パラメータが設定される。
【００２３】
発呼者電話番号検出回路６は交換局１２から送出される発呼者電話番号を検出する。
【００２４】
制御回路７は音声ガイダンス・情報送出回路３と、着信検出回路４と、ＤＴＭＦ検出回路５と、発呼者電話番号検出回路６と、記憶回路８と、入力回路９と、表示機１０と、記録媒体１５とを制御する。
【００２５】
記憶回路８には音声ガイダンスデータ８−１、電話番号データ８−２、ＤＴＭＦ検出パラメータ８−３が格納されている。音声ガイダンスデータ８−１は音声ガイダンス・情報送出回路３により送出される音声ガイダンスデータである。
【００２６】
電話番号データ８−２は１つまたは複数の発呼者（相手先）端末の電話番号データである。ＤＴＭＦ検出パラメータ８−３は各電話番号データ８−２と対応付けられている。すなわち、各電話番号データ８−２に対し、１つのＤＴＭＦ検出パラメータ８−３が付与されている。
【００２７】
入力回路９はＤＴＭＦ検出パラメータの設定値を入力するためのものである。
【００２８】
表示器１０は受信情報および送信情報の表示を行う。
【００２９】
記録媒体１５には後述するプログラムが格納されている。
【００３０】
次に、本発明に係るボタン電話装置の動作について説明する。図２及び図３は本発明に係るボタン電話装置の動作の一例を示すフローチャートである。この動作は制御回路７によって制御される。
【００３１】
まず、制御回路７は外線（回線）１１から着信検出回路４を介して着信を検出する（Ｓ１）。次に、交換局１２から発呼者電話番号が発呼者電話番号検出回路６を介して検出されたか否かを確認する（Ｓ２）。
【００３２】
ステップＳ２にて発呼者電話番号が検出された場合（Ｓ２にて有の場合）、制御回路７は記憶回路８に格納された発呼者電話番号データ８−２からその発呼者電話番号の検索と、ＤＴＭＦ検出パラメータ８−３からその発呼者電話番号に対応するＤＴＭＦ検出パラメータの検索とを行う（Ｓ３）。
【００３３】
記憶回路８にその発呼者電話番号が存在する場合（Ｓ４にて有の場合）、制御回路７はその発呼者電話番号に対応するＤＴＭＦ検出パラメータをＤＴＭＦ検出回路５に設定し（Ｓ５）、通信を開始する（Ｓ８）。
【００３４】
続いて情報サービスを開始する場合（Ｓ９にてＮＯ，Ｓ１０にてＹＥＳの場合）、制御回路７は音声ガイダンス・情報送出回路３を介して音声メッセージの再生を開始する（Ｓ１１）。
【００３５】
次に、制御回路７はＤＴＭＦ検出回路５を介してＤＴＭＦ信号の検出を開始し（Ｓ１２）、情報サービスを実行する（Ｓ１３）。
【００３６】
制御回路７は発呼者側がボタン電話装置の情報サービスを利用する場合、ＤＴＭＦ信号の検出にエラーが発生するか否かを常時監視する（Ｓ１４）。このエラーは応答信号が正常に返信されなかった場合や、桁落ち等が発生した場合に検出される。
【００３７】
このＤＴＭＦ信号の検出エラーが発生した場合（Ｓ１４にてＮＯの場合）、制御回路７は音声ガイダンス・情報送出回路３を介して、音声メッセージで規定のＤＴＭＦ信号の送出を発信者（相手先）端末１３に依頼する（Ｓ１５）。たとえば、発信者（相手先）端末１３にダイヤル“１”を押下するように依頼する。
【００３８】
次に、発信者（相手先）端末１３から指定のＤＴＭＦ信号が送出されると（Ｓ１６）、制御回路７はこのＤＴＭＦ信号がＤＴＭＦ検出回路５を介して正常に検出されるか否かを監視する（Ｓ１７）。
【００３９】
ここで、ＤＴＭＦ信号が正常に検出されない場合（Ｓ１７にてＮＯの場合）、制御回路７はＤＴＭＦ検出パラメータの変更を行い（Ｓ１８）、再びステップＳ１５からＳ１７までを繰り返す。
【００４０】
ステップＳ１７にてＤＴＭＦ信号が正常に検出された場合（Ｓ１７にてＹＥＳの場合）、制御回路７は音声ガイダンス・情報送出回路３を介して、音声メッセージで次の規定のＤＴＭＦ信号の送出を発信者（相手先）端末１３に依頼する（Ｓ１９）。たとえば、発信者（相手先）端末１３にダイヤル“５”を押下するように依頼する。
【００４１】
次に、発信者（相手先）端末１３から指定のＤＴＭＦ信号が送出されると（Ｓ２０）、制御回路７はこのＤＴＭＦ信号がＤＴＭＦ検出回路５を介して正常に検出されるか否かを監視する（Ｓ２１）。
【００４２】
ここで、ＤＴＭＦ信号が正常に検出されない場合（Ｓ２１にてＮＯの場合）、制御回路７はＤＴＭＦ検出パラメータの変更を行い（Ｓ２２）、再びステップＳ１９からＳ２１までを繰り返す。
【００４３】
ステップＳ２１にてＤＴＭＦ信号が正常に検出された場合（Ｓ２１にてＹＥＳの場合）、制御回路７は音声ガイダンス・情報送出回路３を介して、音声メッセージで次の規定のＤＴＭＦ信号の送出を発信者（相手先）端末１３に依頼する（Ｓ２３）。たとえば、発信者（相手先）端末１３にダイヤル“９”を押下するように依頼する。
【００４４】
次に、発信者（相手先）端末１３から指定のＤＴＭＦ信号が送出されると（Ｓ２４）、制御回路７はこのＤＴＭＦ信号がＤＴＭＦ検出回路５を介して正常に検出されるか否かを監視する（Ｓ２５）。
【００４５】
ここで、ＤＴＭＦ信号が正常に検出されない場合（Ｓ２５にてＮＯの場合）、制御回路７はＤＴＭＦ検出パラメータの変更を行い（Ｓ２６）、再びステップＳ２３からＳ２５までを繰り返す。
【００４６】
ステップＳ２５にてＤＴＭＦ信号が正常に検出された場合（Ｓ２５にてＹＥＳの場合）、制御回路７は音声ガイダンス・情報送出回路３を介して、音声メッセージで次の規定のＤＴＭＦ信号の送出を発信者（相手先）端末１３に依頼する（Ｓ２７）。たとえば、発信者（相手先）端末１３にダイヤル“０”を押下するように依頼する。
【００４７】
次に、発信者（相手先）端末１３から指定のＤＴＭＦ信号が送出されると（Ｓ２８）、制御回路７はこのＤＴＭＦ信号がＤＴＭＦ検出回路５を介して正常に検出されるか否かを監視する（Ｓ２９）。
【００４８】
ここで、ＤＴＭＦ信号が正常に検出されない場合（Ｓ２９にてＮＯの場合）、制御回路７はＤＴＭＦ検出パラメータの変更を行い（Ｓ３０）、再びステップＳ２７からＳ２９までを繰り返す。
【００４９】
ステップＳ２９にてＤＴＭＦ信号が正常に検出された場合（Ｓ２９にてＹＥＳの場合）、制御回路７は変更後のＤＴＭＦ検出パラメータを記憶回路８のＤＴＭＦ検出パラメータ８−３に保存する（Ｓ３１）。
【００５０】
そして、情報サービスを終了する場合は（Ｓ３２にてＹＥＳの場合）、ＤＴＭＦ信号の検出を終了し（Ｓ３３）、ＤＴＭＦ検出パラメータのセットフラグがＯＮであるか否かを調べる（Ｓ３４）。
【００５１】
いま、ＯＮではないので（Ｓ３４にてＮＯ）、制御回路７は通信を終了するか否かを調べ（Ｓ９）、終了する場合は（Ｓ９にてＹＥＳの場合）、ステップＳ３７を介して（ＤＴＭＦ検出パラメータのセットフラグはもともとＯＦＦなのでステップＳ３７は省略可）、動作終了となる。
【００５２】
一方、ステップＳ２にて発呼者電話番号が検出されない場合（Ｓ２にて無の場合）、制御回路７は初期のＤＴＭＦ検出パラメータを設定し（Ｓ７）、通信を開始する（Ｓ８）。
【００５３】
また、ステップＳ４にて記憶回路８にその発呼者電話番号が存在しない場合（Ｓ４にて無の場合）、制御回路７はＤＴＭＦ検出パラメータのセットフラグをＯＮに設定し（Ｓ６）、初期のＤＴＭＦ検出パラメータを設定し（Ｓ７）、通信を開始する（Ｓ８）。
【００５４】
続いて、ステップＳ９からＳ１０、Ｓ１１、Ｓ１２、Ｓ１３、Ｓ１４と進み、ステップＳ１４にて正常にＤＴＭＦ信号が検出されている場合（Ｓ１４にてＹＥＳの場合）、情報サービスを終了するか否かを調べるが（Ｓ３２）、情報サービスを終了する場合（Ｓ３２にてＹＥＳの場合）、ＤＴＭＦ信号の検出を終了し（Ｓ３３）、ＤＴＭＦ検出パラメータのセットフラグがＯＮであるか否かを調べる（Ｓ３４）。
【００５５】
いま、ＤＴＭＦ検出パラメータのセットフラグがＯＮであるので（Ｓ３４にてＹＥＳ）、制御回路７はＤＴＭＦ検出パラメータを記憶回路８に保存し（Ｓ３５）、ＤＴＭＦ検出パラメータのセットフラグをＯＦＦに設定する（Ｓ３６）。
【００５６】
一方、ステップＳ３２にて情報サービスを終了しない場合（Ｓ３２にてＮＯの場合）、ステップＳ１３に戻り情報サービスを実行する。
【００５７】
なお、ステップＳ４にてデータ無し（Ｓ４にて無の場合）で、ステップＳ６にてＤＴＭＦ検出パラメータのセットフラグがＯＮにセットされ、ステップＳ７，Ｓ８〜Ｓ１４と進み、ステップＳ１４にて正常にＤＴＭＦ信号が検出できない場合（Ｓ１４にてＮＯの場合）、ステップＳ１５〜Ｓ２９と進み、ステップＳ３１にてＤＴＭＦ検出パラメータを記憶回路８に保存し、さらにＳ３２〜Ｓ３４と進んで、ステップＳ３５にて再びＤＴＭＦ検出パラメータを記憶回路８に保存することになるが、これは既にステップＳ３１にて実行済みであるため、ステップＳ３５の省略が可能である。次に、ステップ３６のＤＴＭＦ検出パラメータのセットフラグをＯＦＦにするが実行される。
【００５８】
以上、説明したように本発明の第１実施例によれば個々の通信相手先、すなわち発信者電話番号毎にＤＴＭＦ検出パラメータを設定する構成であるため、個々の通信相手先、すなわち発信者電話番号毎に良好なＤＴＭＦの検出が可能となる。
【００５９】
また、このＤＴＭＦ検出パラメータを発信者電話番号データ８−２と対応付けて記憶装置８に格納することにより、次回の同一発信者からの通信においては直ちに良好なＤＴＭＦの検出が可能となる。
【実施例２】
【００６０】
前述の第１実施例では、発信者電話番号毎にＤＴＭＦ検出パラメータを設定する構成であったが、発信者電話番号毎ではなく発信者の局番毎にＤＴＭＦ検出パラメータを設定することも可能である。
【００６１】
すなわち、図１において電話番号データ８−２とＤＴＭＦ検出パラメータ８−３とを対応付けることは第１実施例と同様であるが、ＤＴＭＦ検出パラメータ８−３の値を局番に対応させて設定する点が第１実施例と異なる。すなわち、電話番号が異なっても同一局番に対しては同一ＤＴＭＦ検出パラメータ８が付与される。
【００６２】
第１実施例との動作の相違点は以下のとおりである。図２のステップＳ７で設定される初期のＤＴＭＦ検出パラメータは発呼者電話番号の局番に対して付与される。
【００６３】
ステップＳ３１およびＳ３５で記憶回路８に設定されるＤＴＭＦ検出パラメータは発呼者電話番号の局番に対して付与される。
【００６４】
以上、説明したように本発明の第２実施例によれば通信相手先の局番毎にＤＴＭＦ検出パラメータを設定する構成であるため、通信相手先の交換局毎に良好なＤＴＭＦの検出が可能となる。
【００６５】
また、このＤＴＭＦ検出パラメータを発信者電話番号データ８−２の局番と対応付けて記憶装置８に格納することにより、次回の同一局番からの通信においては直ちに良好なＤＴＭＦの検出が可能となる。
【実施例３】
【００６６】
第３実施例はＤＴＭＦ検出パラメータの変更方法をコンピュータに実行させるためのプログラムに関するものである。図１を参照すると、制御回路７に記録媒体１５が接続されている。この記録媒体１５には図２および図３にフローチャートで示すＤＴＭＦ検出パラメータの変更方法をコンピュータ（図１における制御回路７）に実行させるためのプログラムが格納されている。
【００６７】
制御回路７は記録媒体１５からそのプログラムを読み出し、そのプログラムに基づいて音声ガイダンス・情報送出回路３と、着信検出回路４と、ＤＴＭＦ検出回路５と、発呼者電話番号検出回路６と、記憶回路８と、入力回路９と、表示機１０とを制御する。その制御内容については第１実施例で詳細に述べたのでここでの説明は省略する。
【００６８】
以上、説明したように本発明の第３実施例によれば、個々の通信相手先、すなわち発信者電話番号毎および交換局毎に良好なＤＴＭＦを検出するプログラムを提供することが可能となる。
【００６９】
なお、本発明が上記各実施例に限定されず、本発明の技術思想の範囲内において、各実施例は適宜変更され得ることは明らかである。
【図面の簡単な説明】
【００７０】
【図１】本発明に係るボタン電話装置の一例の構成図である。
【図２】本発明に係るボタン電話装置の動作の一例を示すフローチャートである。
【図３】本発明に係るボタン電話装置の動作の一例を示すフローチャートである。
【符号の説明】
【００７１】
１  ボタン電話装置
２  回線インタフェース
３  音声ガイダンス・情報送出回路
４  着信検出回路
５  ＤＴＭＦ検出回路
６  発呼者電話番号検出回路
７  制御回路
８  記憶回路
９  記憶回路
１０  表示器
１５  記録媒体
【図１】
2005303398.tif 000003
【図２】
2005303398.tif 000004
【図３】
2005303398.tif 000005